(57)【要約】【課題】既存のコンセントを占有せずに他の機器の電源を確保しつつ、ノイズを低減して良好にＰＬＣが可能である電力搬送通信用配線器具を提供する。【解決手段】ハウジング１は、壁面などの造営面に設けられた埋込孔に後端部を埋め込む形で埋込配設されている。コモンモードチョークコイル１２は、端子部４と電力線搬送通信用モデム１５との間に介設され、電力線搬送通信用モデム１５のコモンモードノイズを遮断する。フィルタ回路１３は、送り配線用端子部１４とコモンモードチョークコイル１２との間に介設され、ＰＬＣの通信帯域（例えば２ＭＨｚ〜３０ＭＨｚ）を遮断する。【選択図】図１
2008072348.tif 000002
【特許請求の範囲】
【請求項１】
造営面に設けられた埋込孔に後端部を埋め込む形で埋込配設されるハウジングと、
前記ハウジングに設けられ、電力線が接続される端子部と、
前記ハウジング内に収納され、電力線搬送通信用の通信信号を変復調する電力線搬送通信用モデムと、
前記ハウジング内に収納され、前記電力線搬送通信用モデムと通信機器とのインタフェースを行う通信インタフェースと、
前記ハウジングの前面に設けられ、前記通信機器と前記通信インタフェースとを接続する通信ケーブルが挿抜自在に挿着されるコネクタと、
前記ハウジング内に収納され、前記電力線搬送通信用モデムと前記端子部との間に介設され、前記電力線搬送通信用モデムのコモンモードノイズを遮断するコモンモードチョークコイルと、
前記端子部を介して前記電力線に接続される送り配線用端子部と、
前記ハウジング内に収納され、前記コモンモードチョークコイルと前記送り配線用端子部との間に介設され、電力線搬送通信の通信帯域を遮断するフィルタ回路とを備え、
前記ハウジングは、埋込型の配線器具用に規格化されている取付枠を用いて造営面に埋込配設されることを特徴とする電力線搬送通信用配線器具。
【請求項２】
前記コモンモードチョークコイルと前記端子部との間に、前記電力線搬送通信用モデムへの給電をオンオフする第１のスイッチを介設したことを特徴とする請求項１記載の電力線搬送通信用配線器具。
【請求項３】
前記フィルタ回路と並列に第２のスイッチを設けたことを特徴とする請求項１又は２に記載の電力線搬送通信用配線器具。
【請求項４】
前記フィルタ回路は、コモンモードノイズ及びノーマルモードノイズを遮断することを特徴とする請求項１乃至３のいずれか１項に記載の電力線搬送通信用配線器具。
【発明の詳細な説明】
【技術分野】
【０００１】
本発明は、オフィスや住宅等の建物に配線された電力線を利用してデータ通信を行うための電力線搬送通信用配線器具に関するものである。
【背景技術】
【０００２】
近年、オフィスや住宅においても複数台のコンピュータをつないだローカル・エリア・ネットワーク（Local Area Network、以下、「ＬＡＮ」と略記する。）が急速に普及している。このようなＬＡＮにおいてコンピュータ間を接続する通信媒体として、通常、通信ケーブル（いわゆるＬＡＮケーブル）が用いられるが、既設のオフィスや住宅に新たにＬＡＮを導入する場合には、配線工事の手間や費用を考慮して電波による無線方式が採用される場合もある（例えば、特許文献１参照）。
【特許文献１】特開２００５−７９９７７号公報
【発明の開示】
【発明が解決しようとする課題】
【０００３】
ところで、従来より給電用の配線（電力線）を利用してデータ通信を行う電力線搬送信（Powre Line Communication、以下、「ＰＬＣ」と略記する。）が提案されている。ＰＬＣには、商用周波数の電力波形に商用周波数よりも高い周波数のＰＬＣの通信信号を重畳して送信すると共にこの電力波形からこの高い周波数のＰＬＣの通信信号を分離して受信する装置（ＰＬＣモデム）が必要である。ＰＬＣモデムは、電源コードを介して壁面に設けられたコンセントに接続されるとともに通信ケーブルを介してコンピュータ等の通信機器に接続される。しかしながら、ＰＬＣモデムがコンセントを占有してしまうと、コンピュータや他の機器がコンセントを利用できなくなるため、その電源の供給を受けることが困難になってしまう。
【０００４】
また、電力線は、５０Ｈｚや６０Ｈｚの商用周波数の電流が流れることを前提に設計されているため、高い周波数であるＰＬＣの通信信号が流れるとＰＬＣの通信信号が輻射して輻射ノイズを発生し、他の機器に影響を与えてしまう。特に、近年、インターネット等の高速通信に対応可能とすること等を目的として法規制の緩和が検討されており、従来、ＰＬＣで使用可能な１０ｋＨｚ〜４５０Ｈｚの周波数帯に加えて、より高周波数の２ＭＨｚ〜３０ＭＨｚの周波数帯の使用が検討されている。２ＭＨｚ〜３０ＭＨｚの周波数帯の通信信号を用いてＰＬＣを行う高速ＰＬＣでは、１０ｋＨｚ〜４５０ｋＨｚの周波数帯の通信信号を用いてＰＬＣを行う低速ＰＬＣよりもＰＬＣの通信信号による電力線からの輻射が増大する。
【０００５】
また、逆に、コンセントを介して電力線に接続された機器や電力線の付近に配置された機器等の他の機器に起因したノイズが電力線に乗る場合があり、このようなノイズに対する対策も必要である。
【０００６】
本発明は、上記事情に鑑みてなされたものであり、既存のコンセントを占有せずに他の機器の電源を確保しつつ、ノイズを低減して良好にＰＬＣが可能である電力搬送通信用配線器具を提供することを目的とする。
【課題を解決するための手段】
【０００７】
本発明による電力線搬送通信用配線器具は、造営面に設けられた埋込孔に後端部を埋め込む形で埋込配設されるハウジングと、前記ハウジングに設けられ、電力線が接続される端子部と、前記ハウジング内に収納され、電力線搬送通信用の通信信号を変復調する電力線搬送通信用モデムと、前記ハウジング内に収納され、前記電力線搬送通信用モデムと通信機器とのインタフェースを行う通信インタフェースと、前記ハウジングの前面に設けられ、前記通信機器と前記通信インタフェースとを接続する通信ケーブルが挿抜自在に挿着されるコネクタと、前記ハウジング内に収納され、前記電力線搬送通信用モデムと前記端子部との間に介設され、前記電力線搬送通信用モデムのコモンモードノイズを遮断するコモンモードチョークコイルと、前記端子部を介して前記電力線に接続される送り配線用端子部と、前記ハウジング内に収納され、前記コモンモードチョークコイルと前記送り配線用端子部との間に介設され、電力線搬送通信の通信帯域を遮断するフィルタ回路とを備え、前記ハウジングは、埋込型の配線器具用に規格化されている取付枠を用いて造営面に埋込配設されることを特徴とする（請求項１）。
【０００８】
この構成によれば、前面に通信ケーブルが取り付け可能なコネクタを備え、内部に電力線搬送通信用モデム等を収容するハウジングが、造営面に埋め込まれるため、既存のコンセントを占有せず、他の電気機器の電源を確保するができる。
【０００９】
また、電力線搬送通信用モデムと端子部との間にコモンモードチョークコイルが介設されているため、電力線搬送通信用モデムで生じたコモンモードノイズが端子部を介して電力線へ流出することが抑制され、輻射ノイズを低減することができる。
【００１０】
また、コモンモードチョークコイルと送り配線用端子部との間に介設されたフィルタ回路を備えるため、送り配線用端子部を介して接続された電気機器で生じたノイズが、送り配線用端子部及びコモンモードチョークコイルを介して電力線搬送通信用モデムへ流入することが抑制される。その結果、他の機器の電源を確保しつつノイズを低減して良好にＰＬＣが可能となる。
【００１１】
また、ハウジングは、埋込型の配線器具用に規格化されている取付枠を用いて造営面に埋め込まれているため、造営面にハウジングを容易に埋め込むことが可能となる。
【００１２】
そして、前記コモンモードチョークコイルと前記端子部との間に、前記電力線搬送通信用モデムへの給電をオンオフする第１のスイッチを介設したことが好ましい（請求項２）。
【００１３】
この構成によれば、電力線搬送通信用モデムの使用を予定していない場合に、第１のスイッチをオフにすることで、電力線搬送通信用モデムの待機電力をゼロにすることができる。
【００１４】
そして、前記フィルタ回路と並列に第２のスイッチを設けたことが好ましい（請求項３）。
【００１５】
この構成によれば、第２のスイッチをオンすると送り配線用端子部がフィルタ回路を介さずにコモンモードチョークコイルを介して電力線搬送通信用モデムと接続されるため、送り配線用端子部に電力線搬送通信機能を持つ通信機器を接続することで、当該電力線搬送通信機能を持つ通信機器との電力線搬送通信を実現することができる。
【００１６】
そして、前記フィルタ回路は、コモンモードノイズ及びノーマルモードノイズを遮断することが好ましい（請求項４）。
【００１７】
この構成によれば、フィルタ回路がコモンモードノイズ及びノーマルモードノイズを遮断するので、電気機器が送り配線用端子部を介して接続された場合に、当該電気機器で生じたコモンモードノイズ及びノーマルモードノイズが送り配線用端子部を介して電力線搬送通信用モデムへ流入することが抑制される。
【発明の効果】
【００１８】
本発明によれば、既存のコンセントを占有せずに他の機器の電源を確保しつつ、ノイズを低減して良好にＰＬＣが可能である電力搬送通信用配線器具を提供することができる。
【発明を実施するための最良の形態】
【００１９】
以下、本発明の実施の形態について図面を用いて説明する。なお、各図において同一の符号を付した構成は、同一の構成であることを示し、説明を省略する。
【００２０】
（実施の形態１）
図１は、実施の形態１による電力線搬送通信用配線器具Ａ１の外観構成を示す図であり、図１（ａ）は正面図を示し、図１（ｂ）は側面図を示す。電力線搬送通信用配線器具Ａ１は、図１（ａ）、（ｂ）に示すように壁面などの造営面に設けられた埋込孔（スイッチボックス）に後端部を埋め込む形で埋込配設される略箱形のハウジング１と、ハウジング１の正面（前面）側に取り付けられた取付枠２とを備える。取付枠２は、ＪＩＳ  Ｃ  ８３３６で規格化されている２個用のスイッチボックスに取り付けられる２連の取付枠（ＪＩＳ  Ｃ  ８３７５で規格化されている大角形連用配線器具の取付枠）により構成され、ハウジング１の前面に外挿された状態でねじ止めされている。取付枠２の上側及び下側の各部には、ハウジング１をスイッチボックスに取り付けるためのボックス取付ねじが挿通される一対のねじ挿通孔２ａと、後述するプレート５０（図５参照）を取り付けるためのプレートねじが螺合する一対のねじ孔２ｂとが各々左右に列設されている。
【００２１】
ハウジング１は略箱形の合成樹脂成型品からなり、前面の略中央には通信ケーブル（ＣＡＴ５のＬＡＮケーブル）の先端に付設されているコネクタ（ＲＪ−４５のモジュラープラグ）が挿抜自在に接続される受け側コネクタ（ＲＪ−４５のモジュラージャック３）の差込口３ａが露出している。また、ハウジング１前面の差込口３ａの上方には表示素子（発光ダイオード）ＬＤが露出している。なお、コネクタが差込口３ａに差し込まれていない場合に埃等が入らないようにするために、例えば、前方へ突出する操作つまみが突設された、上下方向に移動自在である扉によって開閉自在に閉塞されるように、差込口３ａが構成されてもよい。
【００２２】
図２は電力線搬送通信用配線器具Ａ１の回路構成を示すブロック図である。図２に示す電力線搬送通信用配線器具Ａ１は、モジュラージャック３、端子部４、電源部５、表示回路１１、コモンモードチョークコイル１２、フィルタ回路１３、送り配線用端子部１４、電力線搬送通信用モデム１５、及び通信インタフェース１６を備える。
【００２３】
端子部４は、ハウジング１の前面に対向するハウジング１の裏面（後端部）に配設され、従来周知のねじなし端子（いわゆる速結端子）からなり、建物の屋内に配線されている電力線が接続される。送り配線用端子部１４は、電線を介して１又は複数のコンセントＢ（図３参照）と接続され、コンセントＢが備える刃受Ｂ１に接続された電気機器に電力線からの電力を供給する。
【００２４】
電力線搬送通信用モデム１５は、結合回路６、送受信部７、及びモデム８を少なくとも含み、電力線搬送通信用の通信信号を変復調する。結合回路６は、コンデンサＣ１，Ｃ２及び絶縁トランスＴを備える。コンデンサＣ１，Ｃ２は、商用電源周波数（電源成分）をカットするコンデンサである。絶縁トランスＴは、１次側がコンデンサＣ１，Ｃ２を介してコモンモードチョークコイル１２に接続され、２次側が送受信部７に接続されている。
【００２５】
送受信部７は、結合回路６とモデム８との間に接続され、絶縁トランスＴの２次側に接続されて電力線との間で電力線搬送通信用の信号（以下、通信信号と呼ぶ。）を送受信する。すなわち、送受信部７は、結合回路６により出力された通信信号をモデム８の受信に適した信号形態に変換し、受信信号ＲＸとしてモデム８に出力する受信回路７ａと、モデム８から出力された送信信号Ｔｘを電力線搬送通信用の信号形態に変換し、結合回路６に出力する送信回路７ｂとを備えている。
【００２６】
モデム８は、電力線に重畳して伝送される所定形式の通信信号からデータ信号を復調する復調機能並びにコンピュータなどの通信機器側の送信データを所定形式の通信信号に変調する変調機能を有する。
【００２７】
このように、結合回路６、送受信部７、及びモデム８を少なくとも含む電力線搬送通信用モデム１５が構成され、商用周波数の電力波形に商用周波数よりも高い周波数のＰＬＣの通信信号が重畳されて送信されると共に、この電力波形からこの高い周波数のＰＬＣの通信信号が分離されて受信される。
【００２８】
通信インタフェース１６は、ＬＡＮコントローラ９及び制御回路１０を備える。ＬＡＮコントローラ９は、モジュラージャック３に接続される通信ケーブルを介して通信機器との間で１００ＢＡＳＥ−ＴＸなどの規格に準拠したデータ伝送を行う。制御回路１０は、ＣＰＵを主構成要素とし、モデム８とＬＡＮコントローラ９との間で授受するデータ（パケット）のフィルタリングなどのセキュリティ機能や、データ伝送中であることを知らせるために表示回路１１を制御して表示回路１１が有する表示素子ＬＤを発光させる機能等を有している。
【００２９】
モジュラージャック３は、例えばＲＪ４５等の規格に準拠するコネクタであり、通信ケーブルを介して通信機器と接続される。
【００３０】
表示回路１１は、図１に示す表示素子ＬＤから構成され、制御回路１０の制御の下、発光、点滅等することで、現在、データが伝送中であるというような情報を報知する。
【００３１】
電源部５は、電力線から端子部４及びコモンモードチョークコイル１２を介して給電される商用交流電源から直流電源を生成し、送受信部７、モデム８、ＬＡＮコントローラ９、制御回路１０、及び表示回路１１等の各回路へ、直流電力を供給する。詳細には、電源部５は、ＰＬＣの周波数帯域（例えば２ＭＨｚ〜３０ＭＨｚ）に対して高インピーダンスになるインピーダンスアッパ回路５ａと、ＡＣ−ＤＣコンバータからなる電源回路５ｂとを備える。
【００３２】
コモンモードチョークコイル１２は、端子部４と電力線搬送通信用モデム１５との間（具体的には、端子部４と結合回路６との間）に介設され、電力線搬送通信用モデム１５のコモンモードノイズを遮断する。これにより、電力線搬送通信用モデム１５で生じたコモンモードノイズが、電力線へ流出することが抑制され、輻射ノイズが低減される。
【００３３】
フィルタ回路１３は、送り配線用端子部１４とコモンモードチョークコイル１２との間に介設され、ＰＬＣの通信帯域（例えば２ＭＨｚ〜３０ＭＨｚ）を遮断する。これにより、送り配線用端子部１４に電気的に接続された電気機器で生じたノイズが電力線搬送通信用モデム１５に流入することが抑制される。また、フィルタ回路１３は、コモンモードノイズを遮断する機能及びノーマルモードノイズを遮断する機能を備えている。コモンモードノイズを遮断する機能は、フィルタ回路１３に、コモンモードチョークコイルを設けることで実現することができる。また、ノーマルモードノイズを遮断する機能は、コイル、抵抗、コンデンサ等から構成され、ノーマルモードノイズを遮断するフィルタを、フィルタ回路１３に設けることで実現することができる。
【００３４】
図３は、電力線搬送通信用配線器具Ａ１をコンセントＢとともに埋込孔に埋込配設した状態を示した図である。コンセントＢは大角形連用配線器具（ＪＩＳ  Ｃ  ８３０４参照）の１個モジュールを１連の取付枠（ＪＩＳ  Ｃ  ８３７５参照）に３個連接して取り付けられている。また、コンセントＢは、刃受Ｂ１を備えている。プレート５０は、プレートねじによって電力線搬送通信用配線器具Ａ１の取付枠２並びに３個のコンセントＢが取り付けられた取付枠に固定されるプレート枠（図示せず）と、電力線搬送通信用配線器具Ａ１のハウジング１の前面並びにコンセントＢの前面を露出する窓孔５１ａ，５１ｂが形成され、プレート枠の前面を覆うようにプレート枠に取り付けられる化粧プレート５１とで構成される。
【００３５】
ここで、コンセントＢは屋内配線用の電力線を接続するための端子部と、電力線を送り配線するための送り配線用端子部とを備えている。３つのコンセントＢのうち例えば上段のコンセントＢの端子部は、電力線搬送通信用配線器具Ａ１の送り配線用端子部１４に接続されている。また、中段のコンセントＢの端子部は、上段のコンセントＢの送り配線用端子部に接続されている。更に、下段のコンセントＢの端子部は、中段のコンセントＢの送り配線用端子部に接続されている。これにより、３つのコンセントＢに電力線からの電力が供給される。
【００３６】
上述のように実施の形態１の電力線搬送通信用配線器具Ａ１によれば、造営面（壁面）の裏側で端子部４が電力線と接続されるため、電力線との接続用にコンセントＢを占有せずに電力通信を行うことができる。
【００３７】
また、電力線搬送通信用モデム１５と端子部４との間にコモンモードチョークコイル１２が介設されているため、電力線搬送通信用モデム１５で生じたコモンモードノイズが端子部４を介して電力線へ流出することが抑制され、輻射ノイズを低減することができる。
【００３８】
また、コモンモードチョークコイル１２と送り配線用端子部１４との間に介設されたフィルタ回路１３を備えるため、送り配線用端子部１４を介して接続された電気機器で生じたノイズが、送り配線用端子部１４及びコモンモードチョークコイル１２を介して電力線搬送通信用モデム１５へ流入することが抑制され、他の機器の電源を確保しつつノイズを低減して良好にＰＬＣが可能となる。
【００３９】
また、コモンモードチョークコイル１２とフィルタ回路１３を備えているため、特に高速ＰＬＣに対して好適な電力線搬送通信用配線器具を提供することができる。
【００４０】
（実施の形態２）
次に、本発明の実施の形態２による電力線搬送通信用配線器具Ａ２について説明する。図４は、実施の形態２による電力線搬送通信用配線器具Ａ２のブロック図を示している。また、図５は、電力線搬送通信用配線器具Ａ２をコンセントＢと共に埋込孔に埋込配設した状態を示した図である。実施の形態２による電力線搬送通信用配線器具Ａ２は、実施の形態１による電力線搬送通信用配線器具Ａ１において、コモンモードチョークコイル１２と端子部４との間にスイッチ部１７（第１のスイッチ）を接続したことを特徴とする。スイッチ部１７は線路Ｌ１に接続されたスイッチＳ１１と線路Ｌ２に接続されたスイッチＳ１２と、図５に示すつまみＳ１３とを備える。線路Ｌ１は、コモンモードチョークコイル１２と端子部４とを接続する。線路Ｌ２は、コモンモードチョークコイル１２と端子部４とを接続する。つまみＳ１３は、ハウジング１の前面において左右方向にスライド可能に配設されている。つまみＳ１３が例えば左側にスライドされると、スイッチＳ１１，Ｓ１２が共にオフされ、つまみＳ１３が例えば右側にスライドされると、スイッチＳ１１，Ｓ１２が共にオンされる。
【００４１】
スイッチＳ１１，Ｓ１２がオフされると、電力線から電力線搬送通信用モデム１５側への電力供給が遮断され、スイッチＳ１１，Ｓ１２がオンされると、電力線からの電力が電力線搬送通信用モデム１５側へ供給される。
【００４２】
このように、実施の形態２による電力線搬送通信用配線器具Ａ２は、スイッチ部１７を備えているため、ユーザが電力線搬送通信用モデム１５の使用を予定していない場合に、スイッチ部１７をオフにすることで、電力線搬送通信用モデム１５の待機電力をゼロにすることができる。
【００４３】
（実施の形態３）
次に、本発明の実施の形態３による電力線搬送通信用配線器具Ａ３について説明する。図６は、実施の形態３による電力線搬送通信用配線器具Ａ３のブロック図を示している。また、電力線搬送通信用配線器具Ａ３の外観構成は図１と同様であり、電力線搬送通信用配線器具Ａ３をコンセントＢと共に埋込孔に埋込配設した状態を示した図は、図５と同様である。
【００４４】
実施の形態３による電力線搬送通信用配線器具Ａ３は、実施の形態１による電力線搬送通信用配線器具Ａ１において、フィルタ回路１３と並列にスイッチ部１８（第２のスイッチ）を接続したことを特徴とする。スイッチ部１８は線路Ｌ３に接続されたスイッチＳ２１と線路Ｌ４に接続されたスイッチＳ２２と、図５に示すつまみＳ２３とを備える。線路Ｌ３は、接続点Ｐ１において線路Ｌ１から分岐し、接続点Ｐ１と送り配線用端子部１４とを接続する。線路Ｌ４は、接続点Ｐ２において線路Ｌ２から分岐し、接続点Ｐ２と送り配線用端子部１４とを接続する。なお、スイッチ部１８がオンオフされる構成は、スイッチ部１７と同一であるため、説明を省略する。
【００４５】
スイッチＳ２１，Ｓ２２がオンされると、送り配線用端子部１４がフィルタ回路１３を介さずにコモンモードチョークコイル１２を介して電力線搬送通信用モデム１５と接続される。そのため、スイッチＳ２１，Ｓ２２をオンし、送り配線用端子部１４に電力線搬送通信機能を持つ通信機器を接続することで、当該電力線搬送通信機能を持つ通信機器と電力線搬送通信を実現することができる。
【００４６】
なお、本発明による電力線搬送通信用配線器具は、実施の形態２に示すスイッチ部１７と実施の形態３に示すスイッチ部１８とを共に備えるものであっても良い。この場合、図７に示すように、ハウジング１の前面にスイッチ部１７とスイッチ部１８を併設すればよい。
【図面の簡単な説明】
【００４７】
【図１】実施の形態１による電力線搬送通信用配線器具Ａ１の外観構成を示す図であり、図１（Ａ）は正面図を示し、図１（Ｂ）は側面図を示す。
【図２】電力線搬送通信用配線器具Ａ１の回路構成を示すブロック図である。
【図３】電力線搬送通信用配線器具Ａ１をコンセントＢとともに埋込孔に埋込配設した状態を示した図である。
【図４】実施の形態２による電力線搬送通信用配線器具Ａ２のブロック図を示している。
【図５】電力線搬送通信用配線器具Ａ２をコンセントＢと共に埋込孔に埋込配設した状態を示した図である。
【図６】実施の形態３による電力線搬送通信用配線器具Ａ３のブロック図を示している。
【図７】実施の形態２と実施の形態３とを組み合わせた態様を示した図である。
【符号の説明】
【００４８】
Ａ１，Ａ２，Ａ３  電力線搬送通信用配線器具
１  ハウジング
２  取付枠
３  モジュラージャック
４  端子部
５  電源部
６  結合回路
７  送受信部
７ａ  受信回路
７ｂ  送信回路
８  モデム
９  ＬＡＮコントローラ
１０  制御回路
１１  表示回路
１２  コモンモードチョークコイル
１３  フィルタ回路
１４  送り配線用端子部
１５  電力線搬送通信用モデム
１６  通信インタフェース
１７  スイッチ部
１８  スイッチ部
Ｓ１１，Ｓ１２  スイッチ
Ｓ２１，Ｓ２２  スイッチ
【図１】
2008072348.tif 000003
【図２】
2008072348.tif 000004
【図３】
2008072348.tif 000005
【図４】
2008072348.tif 000006
【図５】
2008072348.tif 000007
【図６】
2008072348.tif 000008
【図７】
2008072348.tif 000009
【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
造営面に設けられた埋込孔に後端部を埋め込む形で埋込配設されるハウジングと、
前記ハウジングに設けられ、電力線が接続される端子部と、
前記ハウジング内に収納され、電力線搬送通信用の通信信号を変復調する電力線搬送通信用モデムと、
前記ハウジング内に収納され、前記電力線搬送通信用モデムと通信機器とのインタフェースを行う通信インタフェースと、
前記ハウジングの前面に設けられ、前記通信機器と前記通信インタフェースとを接続する通信ケーブルが挿抜自在に挿着されるコネクタと、
前記ハウジング内に収納され、前記電力線搬送通信用モデムと前記端子部との間に介設され、前記電力線搬送通信用モデムのコモンモードノイズを遮断するコモンモードチョークコイルと、
コンセントに接続され、電力線を送り配線する送り配線用端子部と、
前記ハウジング内に収納され、前記コモンモードチョークコイルと前記送り配線用端子部との間に介設され、電力線搬送通信の通信帯域を遮断するフィルタ回路とを備え、
前記ハウジングは、埋込型の配線器具用に規格化されている取付枠を用いて造営面に埋込配設されることを特徴とする電力線搬送通信用配線器具。
【請求項２】
前記コモンモードチョークコイルと前記端子部との間に、前記電力線搬送通信用モデムへの給電をオンオフする第１のスイッチを介設したことを特徴とする請求項１記載の電力線搬送通信用配線器具。
【請求項３】
前記フィルタ回路と並列に第２のスイッチを設けたことを特徴とする請求項１又は２に記載の電力線搬送通信用配線器具。
【請求項４】
前記フィルタ回路は、コモンモードノイズ及びノーマルモードノイズを遮断することを特徴とする請求項１乃至３のいずれか１項に記載の電力線搬送通信用配線器具。
【手続補正２】
【補正対象書類名】明細書
【補正対象項目名】０００７
【補正方法】変更
【補正の内容】
【０００７】
本発明による電力線搬送通信用配線器具は、造営面に設けられた埋込孔に後端部を埋め込む形で埋込配設されるハウジングと、前記ハウジングに設けられ、電力線が接続される端子部と、前記ハウジング内に収納され、電力線搬送通信用の通信信号を変復調する電力線搬送通信用モデムと、前記ハウジング内に収納され、前記電力線搬送通信用モデムと通信機器とのインタフェースを行う通信インタフェースと、前記ハウジングの前面に設けられ、前記通信機器と前記通信インタフェースとを接続する通信ケーブルが挿抜自在に挿着されるコネクタと、前記ハウジング内に収納され、前記電力線搬送通信用モデムと前記端子部との間に介設され、前記電力線搬送通信用モデムのコモンモードノイズを遮断するコモンモードチョークコイルと、コンセントに接続され、電力線を送り配線する送り配線用端子部と、前記ハウジング内に収納され、前記コモンモードチョークコイルと前記送り配線用端子部との間に介設され、電力線搬送通信の通信帯域を遮断するフィルタ回路とを備え、前記ハウジングは、埋込型の配線器具用に規格化されている取付枠を用いて造営面に埋込配設されることを特徴とする（請求項１）。